(57)【特許請求の範囲】
【請求項１】
内面の一側又は両側にマチ付きポケットを有する中折れファイルであり、中心から一側又は両側にファイル幅を確保する折線を形成したファイル本体と、ファイル本体の外側にマチ幅を確保する折線を形成して連続させた一つ又は二つのポケット片と、ポケット片に折線や切断線で連続させた複数のマチ片とを展開形状で打ち抜き、ポケット片を折線で折り返してポケットとするが、このとき、マチ片を折線でＺ形に切り起こすとともに、切り起こした残部をファイル本体に接着してマチ幅とするマチ付きポケットを有する中折れファイルにおいて、ポケット片がファイル本体の側方に上下にする連続するものであり、マチ片が上側のポケット片の上縁に形成されることを特徴とするマチ付きポケットを有する中折れファイル。
【請求項２】
内面の一側又は両側にマチ付きポケットを有する中折れファイルであり、中心から一側又は両側にファイル幅を確保する折線を形成したファイル本体と、ファイル本体の外側にマチ幅を確保する折線を形成して連続させた一つ又は二つのポケット片と、ポケット片に折線や切断線で連続させた複数のマチ片とを展開形状で打ち抜き、ポケット片を折線で折り返してポケットとするが、このとき、マチ片を折線でＺ形に切り起こすとともに、切り起こした残部をファイル本体に接着してマチ幅とするマチ付きポケットを有する中折れファイルにおいて、ポケット片がファイル本体の下方に横に連続するものであり、マチ片が外側のポケット片に折線に接して形成されること特徴とするマチ付きポケットを有する中折れファイル。
【発明の詳細な説明】
【技術分野】
【０００１】
本発明は、マチ付きポケットを有する中折れファイルに関するものである。
【背景技術】
【０００２】
留め具等のない簡易な中折れファイルが存し、このファイルの内面に紙片等を差し込むむポケットが付いたものがある。そして、このポケットには数多くの紙葉が差し込めるようにマチ（幅）が付いたものがある（下記特許文献１及び２）。ところが、これらのファイルはマチを設けたポケット片を別に製作しておき、これらをファイル本体に貼り合わせたものである。したがって、材料面、工数面ともにコストが高くつく。
【先行技術文献】
【特許文献】
【０００３】
【特許文献１】実用新案登録第３１４００９８号公報
【特許文献２】実用新案登録第３１４７５３８号公報
【発明の開示】
【発明が解決しようとする課題】
【０００４】
本発明は、中折れファイルを構成する要素であるファイル本体、ポケット片及びマチ片を展開した形状にし、これをトムソンで打ち抜き、打ち抜いたものを折ったり、接着したりすることでコストを安くできるようにしたものである。
【課題を解決するための手段】
【０００５】
以上の課題の下、本発明は、請求項１に記載した、内面の一側又は両側にマチ付きポケットを有する中折れファイルであり、中心から一側又は両側にファイル幅を確保する折線を形成したファイル本体と、ファイル本体の外側にマチ幅を確保する折線を形成して連続させた一つ又は二つのポケット片と、ポケット片に折線や切断線で連続させた複数のマチ片とを展開形状で打ち抜き、ポケット片を折線で折り返してポケットとするが、このとき、マチ片を折線でＺ形に切り起こすとともに、切り起こした残部をファイル本体に接着してマチ幅とするマチ付きポケットを有する中折れファイルにおいて、ポケット片がファイル本体の側方に上下にする連続するものであり、マチ片が上側のポケット片の上縁に形成されることを特徴とするマチ付きポケットを有する中折れファイルを提供する。
【０００６】
また、本発明は、請求項２に記載した、内面の一側又は両側にマチ付きポケットを有する中折れファイルであり、中心から一側又は両側にファイル幅を確保する折線を形成したファイル本体と、ファイル本体の外側にマチ幅を確保する折線を形成して連続させた一つ又は二つのポケット片と、ポケット片に折線や切断線で連続させた複数のマチ片とを展開形状で打ち抜き、ポケット片を折線で折り返してポケットとするが、このとき、マチ片を折線でＺ形に切り起こすとともに、切り起こした残部をファイル本体に接着してマチ幅とするマチ付きポケットを有する中折れファイルにおいて、ポケット片がファイル本体の下方に横に連続するものであり、マチ片が外側のポケット片に折線に接して形成されることを特徴とするマチ付きポケットを有する中折れファイル。
【発明の効果】
【０００７】
請求項１の発明によると、中折れファイルの構成要素であるファイル本体、ポケット片及びマチ片が折線や切断線を入れて展開できる形状にしたため、これをトムソンで打ち抜くことができ、後は折ったり、接着すればよいから、簡単でコスト安くできる。また、折りや接着は折り機で自動的にできるから、すべて機械加工できることになり、コストは更に安くなる。
【図面の簡単な説明】
【０００８】
【図１】マチ付きポケットを有する中折れファイルの第１例を示す製本工程の説明図である。
【図２】マチ付きポケットを有する中折れファイルの第１例を示す底面図である。
【図３】マチ付きポケットを有する中折れファイルの第２例を示す製本工程の説明図である。
【図４】マチ付きポケットを有する中折れファイルの第２例を示す製本工程の説明図である。
【図５】マチ付きポケットを有する中折れファイルの第２例を示す側面図である。
【図６】マチ付きポケットを有する中折れファイルの第１例を示す斜視図である。
【図７】マチ付きポケットを有する中折れファイルの第２例を示す斜視図である。
【発明を実施するための形態】
【０００９】
以下、本発明の実施の形態について図面を参照して説明する。図１（ａ）は第１例のマチ付きポケットを有する中折れファイル（以下、ファイル）の展開図であるが、このファイルは中心の両側にファイル本体１、ポケット片２及びマチ片３とを有する。ファイル本体１のセンターには二本の折線４，５が形成されており、この折線４、５を境に表紙と裏表紙になるとともに、その幅でファイルの厚みとなる。ファイル本体１の側方下部には二本の折線６、７を隔ててポケット８となるポケット片２が連続されている（折線６、７の上方は切り欠かれている）。この折線６、７の間がマチ９になるのであり、この間隔がマチ幅となるとなるものである。なお、素材は一般的には紙である。
【００１０】
ポケット片２は折線１０を境に上下に連続しており、上方のポケット片２ａは外側の折線７よりもやや短くなっている。上方のポケット片２ａの上縁には幾つかの（本例では２個）のマチ片３が形成されている。本例のマチ片３は横長の短冊形をしたものが列状に二本設けられており、このうち、実線で示す部分が切断線１１、点線で示す部分が折線１２、１３となるものである。以上の形状をトムソンで打ち抜いて型紙とする。
【００１１】
次に、以上の型紙から図１（ｂ）、（ｃ）の要領でファイルを形成するのであるが、まず、上方のポケット片２ａを折線１０を境にして下方のポケット片２ｂ側に折り返して接着する。このとき、マチ片３には接着剤を塗布しないが、他は全面的に接着する（二枚重ねとなる）。そして、ポケット片２を折線６、７で折ってファイル本体１の上に重ねるのであるが、このとき、マチ片３の二つの折線１２、１３をＺ形に折ってマチ幅を確保するようにマチ片３を浮き上がらせるとともに、切断線１１で囲まれた折線１２、１３以外の部分に接着剤を塗布し（したがって、この部分が糊代１４となる）、折り返したときにこの糊代１４をファイル本体１に接着する。この操作を左右のポケット片２で行う。
【００１２】
以上の操作によると、ポケット片２は二枚重ねとなって強度が高いとともに、折線６、７でファイル本体１側に折られ、糊代１４となる底部がファイル本体２に接着された状態になってポケット８に形成される。したがって、折線６、７の幅とマチ片３の幅とは等しくなる必要があり、この幅がマチ幅となる。ポケット８の大きさはファイル本体１より小さいのが普通であり、底部に形成される。また、上辺と背側の辺は開放されていて紙片等の物の出し入れが容易にできるようになっている。
【００１３】
この構成によると、ポケット８の底部はファイル本体１に対して折線１２、１３の間隔だけが架橋していることになり、ポケット８に物を挿入したときに強度的に弱いことが考えられる。そこで、ファイル本体１におけるマチ片３の架橋部分に上方が半月状の切断線１５で画成した受片１６を形成しておき、これを切り起こして図２に示すように架橋部分の上に載せてマチ片３を補強するようにしている。なお、左右のポケット８でマチ幅は変えてもよい。でき上がった状態を示すのが図６である。
【００１４】
図３（ａ）は第２例のファイルの展開図であるが、本例も、ファイル本体１７、ポケット片１８及びマチ片１９とを有する点は変わらない。また、ファイル本体１７に二本の折線２０、２１を有することも同じである。本例では、ファイル本体１７の底部に二本の折線２２、２３を隔ててポケット２４を構成するポケット片１８（外方が１８ａ，内方が１８ｂ）が連続されており（ポケット片１８の間は切り欠かれている）、この折線２２、２３の間隔がマチ幅となる。なお、本例では、ポケット片１８ａはは短いものになっているが、長くしてもよい。そして、この形状をトムソンで打ち抜いて型紙とする点も同じである。
【００１５】
次に、以上の型紙から第１例と同様の図４（ｂ）、（ｃ）の要領でファイルを形成するのであるが、まず、外側のポケット片１８ａを内側のポケッと片１８ｂに折線２５で折り返して接着する（一部は二枚重ねとなる）。そして、ポケット片１８を折線２２、２３で折ってファイル本体１７の上に重ねるのであるが、このとき、マチ幅を確保するためにマチ片１９の二つの折線２６、２７をＺ形に折ってマチ片１９を浮き上がらせるとともに、切断線２８で囲まれた折線２６、２７を外れた部分に接着剤を塗布し（したがって、この部分が糊代２９となる）、図５に示すように浮き上がらせたときにこの糊代２９をファイル本体１７に接着する点も同様である。なお、本例では、ポケット２４の底部には全面的に素材が存在するから、強度的に強く、第１例のような受片は設けていない。でき上がった状態を示すのが図７である。
【００１６】
以上の２例は本発明の基本的な形態であるが、ポケットの形成はこの他に種々考えられる。たとえは、ポケットは一つであってもよい。その場合は、ファイル本体の片側のみにポケット片等を形成することになる。この他、ポケット片の形状、展開の方向，折り方等については種々考えられ、そのいずれを採用してもよい。また、ポケットの折りや曲げ或いは接着等は手作業によってもよいが、折機による自動でも可能である。これによると、非常にコストが安くできるのは上記したとおりである。
【符号の説明】
【００１７】
１      ファイル本体
２      ボケッと片
２ａ    上側のポケット片
２ｂ    下側のポケット片
４      折線
５      折線
６      折線
７      折線
８      ポケット
９      マチ
１０    折線
１１    切断線
１２    折線
１３    折線
１４    糊代
１５    切断線
１６    受片
１７    ファイル本体
１８    ポケット片
１８ａ  外側のポケット片
１８ｂ  内側のポケット片
１９    マチ片
２０    折線
２１    折線
２２    折線
２３    折線
２４    ポケット
２５    折線
２６    折線
２７    折線
２８    切断線
２９    糊代
【図１】
0005713408.tif 000002
【図２】
0005713408.tif 000003
【図３】
0005713408.tif 000004
【図４】
0005713408.tif 000005
【図５】
0005713408.tif 000006
【図６】
0005713408.tif 000007
【図７】
0005713408.tif 000008